(57)【要約】【課題】  簡易な構造で確実に金属管の静電気を除去することが可能な静電気除去具等を提供する。【解決手段】  補給シュート９には、静電気除去具１９が取り付けられる。静電気除去具１９は、主に、遊技媒体接触面２１、アーム部２５、金属管導通部２３、係合部２７等から構成される。遊技媒体接触面２１は、遊技球などの遊技媒体と直接接触する部位である。静電気除去具１９が補給シュート９に取り付けられると、遊技媒体接触面２１は、移送部２９内に露出し、移送部２９に流入した遊技球と接触する。アーム部２５の端部には、金属管導通部２３が形成される。金属管導通部２３は、金属管１７と導通する部位である。静電気除去具１９が補給シュート９に取り付けられると、金属管導通部２３は、金属管接続部３１の外周面に位置する。したがって、金属管１７を金属管接続部３１に接続させると、金属管１７は、金属管導通部２３の外周で接触する。【選択図】図２
2016041109.tif 000002
【特許請求の範囲】
【請求項１】
補給シュートに取り付けることが可能な静電気除去具であって、
遊技媒体と接触する遊技媒体接触面と、
前記補給シュートに固定される金属管と導通する金属管導通部と、
前記遊技媒体接触面と前記金属管導通部とを連結するアーム部と、
を具備し、
前記補給シュートに取り付けられた状態で、前記補給シュートに貯留する遊技媒体と金属管とを導通させることが可能であることを特徴とする静電気除去具。
【請求項２】
補給シュートに取り付けることが可能な静電気除去具であって、
搬送樋の導体部と接触する搬送樋接触部と、
前記補給シュートに固定される金属管と導通する金属管導通部と、
前記搬送樋接触部と前記金属管導通部とを連結するアーム部と、
を具備し、
前記補給シュートに取り付けられた状態で、搬送樋と金属管とを導通させることが可能であることを特徴とする静電気除去具。
【請求項３】
前記静電気除去具には、前記補給シュートの突起と係合する係合部が設けられることを特徴とする請求項１または請求項２記載の静電気除去具。
【請求項４】
金属管と接続される補給シュートであって、
遊技媒体が流入し、流入した遊技媒体が整列されて移動する移送部と、
前記移送部を流れる遊技媒体が流出する金属管接続部と、
前記移送部と前記金属管接続部との間に配置される静電気除去具と、
を具備し、
前記静電気除去具は、
前記移送部に露出し、遊技媒体と接触する遊技媒体接触面と、
金属管と導通する金属管導通部と、
前記遊技媒体接触面と前記金属管導通部とを連結するアーム部と、
を具備し、
補給シュートに貯留する遊技媒体と金属管とを導通させることが可能であることを特徴とする補給シュート。
【請求項５】
搬送樋に固定される補給シュートであって、
遊技媒体が流入し、流入した遊技媒体が整列されて移動する移送部と、
前記移送部を流れる遊技媒体が流出する金属管接続部と、
前記移送部と前記金属管接続部との間に配置される静電気除去具と、
を具備し、
前記静電気除去具は、
前記搬送樋の導体部と接触する搬送樋接触部と、
金属管と導通する金属管導通部と、
前記搬送樋接触部と前記金属管導通部とを連結するアーム部と、
を具備し、
前記搬送樋の導体部と金属管とを導通させることが可能であることを特徴とする補給シュート。
【請求項６】
前記補給シュートの外面には、突起が形成されており、
前記静電気除去具には、前記突起と係合する係合部が設けられ、
前記突起と前記係合部が係合することで、前記静電気除去具のずれを抑制可能であることを特徴とする請求項４または請求項５記載の補給シュート。
【請求項７】
請求項１から請求項３のいずれかに記載の静電気除去具を具備することを特徴とする遊技機島。
【請求項８】
請求項４記載の補給シュートを用い、
前記移送部で貯留された状態の遊技媒体と、前記金属管とを導通させることで、前記金属管に帯電した静電気を、搬送樋上の遊技媒体を通じて、外部に放電することを特徴とする静電気除去方法。
【請求項９】
請求項５記載の補給シュートを用い、
前記搬送樋と、前記金属管とを導通させることで、前記金属管に帯電した静電気を、前記搬送樋の導体部を通じて、外部に放電することを特徴とする静電気除去方法。
【発明の詳細な説明】
【技術分野】
【０００１】
本発明は、遊技機へ遊技媒体を補給する際に用いられる金属管に帯電した静電気を確実に除去することが可能な静電気除去具等に関するものである。
【背景技術】
【０００２】
通常、遊技機島には、遊技媒体を貯留する上部タンクが設けられ、遊技球などの遊技媒体は、上部タンクから補給樋を介して各遊技機へ補給される。この際、遊技球は、補給樋から補給シュートを通過し、補給シュートに接続された金属管（通常は蛇腹状の可撓性金属管）を通過する。
【０００３】
補給シュートは、通常樹脂製である。また、金属管を通過した遊技球は、各遊技機の上部に配置される補給カウンタを介して各遊技機の貯留部に落下するが、補給カウンタも通常は樹脂製である。このため、金属管は、前後を絶縁性の樹脂によって挟まれており、導体が孤立した状態となる。
【０００４】
遊技球が金属管を流れる際には、遊技球と樹脂とが激しく接触し、この接触によって生じる静電気や、遊技球のもつ静電気が金属管に蓄積される。金属管にある程度以上の静電気が帯電すると、金属管近傍に配置される電気部品等に悪影響を与える恐れがある。例えば、大当たり中など、連続して大量に遊技球が流れている際に、遊技球のもつ静電気が金属管に蓄積されやすくなる。一方、大当たりが終了すると、遊技球の流れは停滞し、遊技球同士が互いに接触した状態となって、金属管にたまった静電気が遊技球を介して遊技機のアース部や補給樋に急に流れ、電磁誘導により機器の誤動作を起こす恐れが出てくる。特に、金属管は、遊技機のランプ近傍に配置されるため、ランプや、遊技機中の電気部品に電気が流れて誤作動を起こす恐れがある。
【０００５】
このような遊技機近傍における静電気対策として、各部にアースを取り付ける方法が各種提案されている（例えば特許文献１〜３）。
【先行技術文献】
【特許文献】
【０００６】
【特許文献１】特開２００８−１１４０８９号公報
【特許文献２】特開平１１−２９０５４４号公報
【特許文献３】特開平０９−３０８７５４号公報
【発明の概要】
【発明が解決しようとする課題】
【０００７】
しかし、特許文献１、２は、補給シュートと補給カウンタの間に配置される金属管の静電気を除去するものではない。例えば、特許文献１は、遊技機に入ってからの部分における遊技球の静電気を除去するものであり、特許文献２は、遊技球の揚送時に遊技球の静電気を除去するものである。したがって、特許文献１、２は、導体として孤立する金属管の静電気を除去するものではない。
【０００８】
一方、特許文献３は、各金属管（補給蛇腹）にクリップによってアース線を接続するものである。この方法によれば、金属管の静電気を除去することが可能である。
【０００９】
しかし、特許文献３の方法は、補給シュートおよび金属管の設置後に、全ての金属管にそれぞれアース線を接続する必要があるため、作業性が悪い。また、遊技機の位置によっては、アース線を長くとる必要があり、アース線の取り回しも考慮する必要がある。さらに、遊技球が流れる間は、金属管は常に振動するため、クリップの脱落、アース線の断線等の恐れがある。
【００１０】
ここで、例えば補給シュート自体を金属製としたり、カーボンなどを混ぜて導電性を持たせるなどの方法がある。この方法によれば、補給シュートと金属管が導通するため、補給シュートを介して補給樋などに、静電気を逃がすことができる。
【００１１】
しかし、補給シュートを金属製とすると、コストが増加する。また、カーボンを混ぜた樹脂では、強度が低下する。さらに、金属製やカーボン配合樹脂は、補給シュートを透明にすることができない。このため、補給シュート内部のトラブルや遊技球の状態を視認することが困難である。
【００１２】
したがって、現行の補給シュートを利用して、簡易な方法で、効率よく静電気を除去する方法が要求される。
【００１３】
本発明は、このような問題に鑑みてなされたもので、簡易な構造で確実に金属管の静電気を除去することが可能な静電気除去具等を提供することを目的とする。
【課題を解決するための手段】
【００１４】
前述した目的を達するために第１の発明は、補給シュートに取り付けることが可能な静電気除去具であって、遊技媒体と接触する遊技媒体接触面と、前記補給シュートに固定される金属管と導通する金属管導通部と、前記遊技媒体接触面と前記金属管導通部とを連結するアーム部と、を具備し、前記補給シュートに取り付けられた状態で、前記補給シュートに貯留する遊技媒体と金属管とを導通させることが可能であることを特徴とする静電気除去具である。
【００１５】
また、補給シュートに取り付けることが可能な静電気除去具であって、搬送樋の導体部と接触する搬送樋接触部と、前記補給シュートに固定される金属管と導通する金属管導通部と、前記搬送樋接触部と前記金属管導通部とを連結するアーム部と、を具備し、前記補給シュートに取り付けられた状態で、搬送樋と金属管とを導通させることが可能であることを特徴とする静電気除去具である。
【００１６】
前記静電気除去具には、前記補給シュートの突起と係合する係合部が設けられてもよい。
【００１７】
第１の発明によれば、静電気除去具は補給シュートに取り付けられるため、金属管にクリップ等で固定する必要がない。また、補給シュートに取り付けられた静電気除去具が、金属管と導通し、さらに、搬送樋に貯留する遊技球を介してアースされるため、アース線等も不要である。
【００１８】
また、遊技球を介さずに金属管と搬送樋とを直接導通させることも可能である。
【００１９】
また、補給シュートの突起と係合する係合部を設けることで、静電気除去具が補給シュートから外れたりずれたりすることを防止することができる。
【００２０】
第２の発明は、金属管と接続される補給シュートであって、遊技媒体が流入し、流入した遊技媒体が整列されて移動する移送部と、前記移送部を流れる遊技媒体が流出する金属管接続部と、前記移送部と前記金属管接続部との間に配置される静電気除去具と、を具備し、前記静電気除去具は、前記移送部に露出し、遊技媒体と接触する遊技媒体接触面と、金属管と導通する金属管導通部と、前記遊技媒体接触面と前記金属管導通部とを連結するアーム部と、を具備し、補給シュートに貯留する遊技媒体と金属管とを導通させることが可能であることを特徴とする補給シュートである。
【００２１】
また、搬送樋に固定される補給シュートであって、遊技媒体が流入し、流入した遊技媒体が整列されて移動する移送部と、前記移送部を流れる遊技媒体が流出する金属管接続部と、前記移送部と前記金属管接続部との間に配置される静電気除去具と、を具備し、前記静電気除去具は、前記搬送樋の導体部と接触する搬送樋接触部と、金属管と導通する金属管導通部と、前記搬送樋接触部と前記金属管導通部とを連結するアーム部と、を具備し、前記搬送樋の導体部と金属管とを導通させることが可能であることを特徴とする補給シュートである。
【００２２】
前記補給シュートの外面には、突起が形成されており、前記静電気除去具には、前記突起と係合する係合部が設けられ、前記突起と前記係合部が係合することで、前記静電気除去具のずれを抑制可能であることが望ましい。
【００２３】
第２の発明によれば、金属管に帯電した静電気を、遊技球または搬送樋を介して除去することが可能な補給シュートを得ることができる。
【００２４】
特に、補給シュートに突起を形成し、突起と静電気除去具の係合部とを係合させることで、静電気除去具が補給シュートから外れたりずれたりすることを防止することができる。
【００２５】
第３の発明は、第１の発明にかかる静電気除去具を具備することを特徴とする遊技機島である。
【００２６】
第３の発明によれば、金属管に静電気が帯電することで生じる機器の誤作動を防止した遊技機島を提供することができる。
【００２７】
第４の発明は、第２の発明にかかる補給シュートを用い、前記移送部で貯留された状態の遊技媒体と、前記金属管とを導通させることで、前記金属管に帯電した静電気を、搬送樋上の遊技媒体を通じて、外部に放電することを特徴とする静電気除去方法である。
【００２８】
また、第２の発明にかかる補給シュートを用い、前記搬送樋と、前記金属管とを導通させることで、前記金属管に帯電した静電気を、前記搬送樋の導体部を通じて、外部に放電することを特徴とする静電気除去方法である。
【００２９】
第４の発明によれば、静電気除去具の設置が容易であり、確実に金属管の静電気を除去することが可能である。
【発明の効果】
【００３０】
本発明によれば、簡易な構造で確実に金属管の静電気を除去することが可能な静電気除去具等を提供することができる。
【図面の簡単な説明】
【００３１】
【図１】遊技機島１を示す図。
【図２】補給シュート９、静電気除去具１９および金属管１７を示す分解斜視図。
【図３】補給シュート９、静電気除去具１９および金属管１７を示す分解斜視図。
【図４】補給シュート９、静電気除去具１９および金属管１７を示す組立斜視図。
【図５】補給シュート９および静電気除去具１９を示す平面図であり、（ａ）は静電気除去具１９取り付け前の状態を示す図、（ｂ）は静電気除去具１９取り付け後の状態を示す図。
【図６】図５（ｂ）のＧ−Ｇ線断面概略図。
【図７】補給シュート９への遊技球３９の流れを示す図で、（ａ）は通常状態を示す図、（ｂ）は大当たり中の状態を示す図。
【図８】他の実施態様を示す図で、（ａ）は静電気除去具１９ａを示す図、（ｂ）は静電気除去具１９ｂを示す図。
【発明を実施するための形態】
【００３２】
以下、図面を参照しながら、本発明の実施形態について説明する。図１は、遊技機島１を示す全体図である。遊技機島１は、主に、遊技機３、上部タンク５、補給樋７、回収樋１３、遊技球揚送装置１５等から構成される。なお、本発明における遊技機島１は、図示した例には限られず、遊技機３の配置や台数、その他構成の配置などは、適宜変更することができる。
【００３３】
遊技機島１には、複数の遊技機３が併設される。遊技機島１の一部には、遊技球揚送装置１５が形成される。遊技球揚送装置１５は、遊技球を上部タンク５に搬送する（図中矢印Ｅ）。また、遊技球揚送装置１５は、遊技球の搬送時に、遊技球を研磨等によってクリーニングすることもできる。
【００３４】
上部タンク５には、遊技球が貯留され、所定の角度に傾斜した補給樋７が接続される。補給樋７は、補給シュート９および、補給シュート９に接続された金属管１７から遊技機３に補給される遊技球３９を調整する補給カウンタ（図示せず）を介して各遊技機３へ接続される。したがって、上部タンク５に貯留された遊技球は、補給樋７へ流れ（図中矢印Ａ）、補給シュート９および金属管１７、補給カウンタ（図示せず）を介して各遊技機３に補給される。
【００３５】
各遊技機３に補給されずに余剰となった遊技球や、各遊技機３からのアウト球は、遊技機島１の下方に設けられた回収樋１３に流れる（図中矢印Ｂ）。回収樋１３は、遊技球揚送装置１５に向かって下方に傾斜する。したがって、回収樋１３に流れた遊技球は、傾斜によって転動し、遊技球揚送装置１５まで流れる（図中矢印Ｄ）。遊技球揚送装置１５に集められた遊技球は、遊技球揚送装置１５によって、再度上部タンク５へ搬送される。遊技球は以上のようなサイクルで遊技機島１を流れる。なお、補給樋７および回収樋１３において、動力を使って遊技球を搬送する場合は、補給樋７や回収樋１３を水平とすることもできる。
【００３６】
次に、本発明にかかる補給シュート９、静電気除去具１９等について説明する。図２、図３は、それぞれ、補給シュート９、静電気除去具１９および金属管１７を表裏側から見た分解斜視図である。また、図４は、補給シュート９、静電気除去具１９および金属管１７を表側から見た組立斜視図である。
【００３７】
補給シュート９は、補給樋等の搬送樋から遊技球を各遊技機へ補給するための部材である。補給シュート９は、搬送樋に取り付け可能である。例えば、補給シュート９は、搬送樋に固定可能な爪部１１を有する。補給シュート９の一方の側には、遊技球が流入する流入部２８が設けられる。流入部２８は、補給シュート９の側方（搬送樋に固定された際に、搬送樋側に対向する面）に形成される。
【００３８】
また、補給シュート９の端部には、金属管１７と接続される金属管接続部３１が設けられる。流入部から金属管接続部３１までの間は、移送部２９となる。図示した例では、移送部２９は、流入部２８から一旦金属管接続部３１とは逆側の端部方向に形成され、端部で折り返して、金属管接続部３１まで連続する。移送部２９は、全体に傾斜がつけられているため、流入部から金属管接続部３１まで遊技球が転動する（図中矢印Ｆ）。
【００３９】
金属管接続部３１は、筒状に形成される。すなわち、金属管接続部３１の上部の移送部２９には後述する孔３４が形成される。したがって、移送部２９を流れた遊技球は、金属管接続部３１に落下する。
【００４０】
金属管接続部３１に落下した遊技球は、金属管１７を通過する。金属管１７は、例えば蛇腹状の金属部材であり、可撓性を有する部材である。金属管１７は、金属管接続部３１に嵌めこまれて接続される。
【００４１】
なお、補給シュート９には、適宜、球を整列させるための球均し部３３ａや球崩し部３３ｂ等が配置される。球均し部３３ａや球崩し部３３ｂ等の構造の詳細は省略する。また、簡単のため、以下の図において、球均し部３３ａおよび球崩し部３３ｂの図示を省略する場合がある。
【００４２】
補給シュート９には、静電気除去具１９が取り付けられる。静電気除去具１９は、主に、遊技媒体接触面２１、アーム部２５、金属管導通部２３、係合部２７等から構成される。静電気除去具１９は、ステンレスのばね鋼などの金属製であり、例えば、０．３ｍｍ厚さ程度の板材をプレス等で打ち抜き、所望の形状に屈曲させて形成される。
【００４３】
図５は、補給シュート９および静電気除去具１９を示す平面図であり、図５（ａ）は静電気除去具１９取り付け前の状態を示す図、図５（ｂ）は静電気除去具１９取り付け後の状態を示す図である。また、図６は、図５のＧ−Ｇ線断面概略図である。なお、図６においては、球均し部３３ａおよび球崩し部３３ｂの概略を点線で示す。
【００４４】
遊技媒体接触面２１は、遊技球などの遊技媒体と直接接触する部位である。遊技媒体接触面２１は、平坦に形成される。静電気除去具１９が補給シュート９に取り付けられると、遊技媒体接触面２１は、移送部２９内に露出し、移送部２９に流入した遊技球と接触する。
【００４５】
遊技媒体接触面２１の端部には、アーム部２５が形成される。アーム部２５は、遊技媒体接触面２１に対して略垂直に形成される。
【００４６】
図５（ａ）、図５（ｂ）に示すように、補給シュート９の移送部２９の金属管接続部３１に対応する部位には、遊技球が金属管１７へ落下する孔３４が形成される。また、移送部２９には、部分的に孔３７が形成される。孔３７は、移送部２９の側端部近傍に形成され、遊技球の流れを阻害することはない。このような孔３７は、例えば移送部２９に溜まるごみなどの排出部として機能する。静電気除去具１９が補給シュート９に取り付けられると、アーム部２５は、孔３７から移送部２９の下方に突出する。
【００４７】
アーム部２５の端部には、金属管導通部２３が形成される。金属管導通部２３は、金属管１７と導通する部位である。
【００４８】
図６に示すように、静電気除去具１９が補給シュート９に取り付けられると、金属管導通部２３は、金属管接続部３１の外周面に位置する。したがって、金属管１７を金属管接続部３１に接続すると、金属管１７は、金属管導通部２３の外面に接触する。すなわち、金属管導通部２３は、金属管接続部３１と金属管１７とで挟み込まれる。
【００４９】
ここで、補給シュート９の外周部には、突起３５が形成される。突起３５は、補給シュート９の補強リブであってもよいし、各パーツの係合部等であってもよい。すなわち、突起３５は、他の用途で形成されたものを利用することができる。
【００５０】
静電気除去具１９には、係合部２７が設けられる。係合部２７は爪状の部位であり、静電気除去具１９が補給シュート９に取り付けられると、係合部２７は、突起３５と係合する。図示した例では、突起３５の下部に係合し、静電気除去具１９が、上方に浮き上がることを防止する。
【００５１】
係合部２７を形成することで、例えば、補給シュート９の取り付け作業中や、金属管１７を金属管接続部３１に接続する際に、静電気除去具１９が浮き上がり、外れてしまうことを防止することができる。また、補給シュート９の輸送中に、静電気除去具１９が脱落することを防止することができる。なお、係合部２７は、図示した形態である必要はない。例えば、補給シュート９に形成された孔３７に嵌りこむ突起であってもよく、または、移送部２９の壁部下端に溝や突起を形成し、遊技媒体接触面２１の両側部をこの溝や突起と嵌合させて固定してもよい。なお、係合部２７は、静電気を除去する機能を得るためには必ずしも必要ではない。
【００５２】
ここで、図６に示すように、静電気除去具１９が補給シュート９に取り付けられると、遊技媒体接触面２１は、移送部２９の最上部（傾斜部の最上流部近傍）に位置することが望ましい。このようにすることで、静電気除去具１９の厚みが段差となり、遊技球の流れが阻害されることを抑制することができる。すなわち、遊技媒体接触面２１の端部と、移送部２９の上端部の間の隙間（図中Ｉ）は、遊技球の径の１／２未満（例えば５ｍｍ以下）であることが望ましい。このようにすることで、遊技媒体接触面２１よりも上流側に遊技球が流入することがない。
【００５３】
また、遊技球と遊技媒体接触面２１とを確実に接触させるためには、遊技媒体接触面の長さ（移送部２９において遊技球が流れる方向の長さであって図中Ｈ）が、遊技球の径よりも大きい（さらに望ましくは遊技球径の２倍以上）ことが望ましい。
【００５４】
次に、補給シュート９を流れる遊技球の状態について説明する。図７は、補給シュート９への遊技球３９の流れを示す図で、図７（ａ）は通常状態を示す図、図７（ｂ）は大当たり中の状態を示す図である。
【００５５】
通常状態においては、遊技球３９が一度に大量に遊技機へ流れることがないため、遊技球３９は、補給シュート９内に貯留された状態となる。また、補給樋７上には、常に遊技球３９が上流側（遊技球揚送装置１５）から流れてくるため、補給樋７上の遊技球３９は、互いに接触した状態となる。
【００５６】
また、金属管１７の下部は、遊技機の貯留部まで補給カウンタ（図示せず）を介して連続している。したがって、遊技球３９の払い出しの無い状態では、遊技球３９は、遊技機から補給シュート９まで遊技球３９が留まっている状態となる。すなわち、遊技球３９と接触する金属管１７は、遊技球３９を介して、補給樋７上の遊技球３９と導通する。補給樋７上の遊技球３９は、遊技球揚送装置１５まで連続しているため、金属管１７は、遊技球３９を介して、遊技球揚送装置１５まで導通する。通常、遊技球揚送装置１５は接地されているため、金属管１７の静電気は、遊技球３９を介して外部に放電される。
【００５７】
一方、図７（ｂ）に示すように、遊技機が大当たりとなると、遊技球３９は大量に遊技機に流れる。この状態でも、遊技球３９が流入部２８から移送部２９に流入する際には、遊技球３９は互いに重なり合うようにして多段多列で流入する。一方、遊技球３９は、移送部２９を流れながら、球均し部等によって徐々に整列されて、移送部２９の後半では、一列に整列して流れる。
【００５８】
このように、遊技球３９が整列すると、遊技球３９は、勢いよく流れるようになる。したがって、この状態では、補給シュート９の移送部２９を流れる遊技球３９同士が、必ずしも接触せずに、離れて流れる。
【００５９】
すなわち、この状態では、遊技球３９が、金属管１７から遊技球揚送装置１５までを導通させる導体として機能しない。また、遊技球３９が激しく補給シュート９の樹脂と摩擦しながら転動するため、衝突の際に生じる静電気や、遊技球３９が保持していた静電気によって、金属管１７が帯電する恐れがある。
【００６０】
しかし、本発明では、補給シュート９に静電気除去具１９が取り付けられる。前述した様に、静電気除去具１９の金属管導通部２３は、金属管１７と導通する。また、遊技媒体接触面２１が移送部２９の上流側に配置されるため、この部位では、遊技球３９は、完全に整列しておらず、積み重なった状態となる。したがって、遊技媒体接触面２１上には、必ず遊技球３９が接触した状態となり、遊技媒体接触面２１上の遊技球３９は、補給樋７上の遊技球３９と常に接触した状態となる。
【００６１】
このように、移送部２９の上流側の遊技球３９は、補給樋７上の遊技球３９と常に導通する。したがって、静電気除去具１９は、補給樋７上の遊技球３９を介して、遊技球揚送装置１５まで導通する。すなわち、静電気除去具１９は、金属管１７と、補給樋７上の遊技球３９とを導通させる機能を奏する。このため、遊技球３９が勢いよく流れ、移送部２９内で遊技球同士が接触していなくても、金属管１７に帯電する静電気が、遊技球揚送装置１５まで導通して除去される。
【００６２】
以上、本発明の実施形態によれば、静電気除去具１９を補給シュート９に取り付けておくだけで、金属管１７の静電気を確実に除去することができる。したがって、金属管１７に別途アース線などを取り付ける作業が不要である。また、補給シュート９は、従来の樹脂製のものをそのまま利用することができる。
【００６３】
また、静電気除去具１９は、金属管１７と補給樋７上の遊技球３９と導通するため、補給樋７と接続される遊技球揚送装置１５（または補給樋７と遊技球揚送装置１５との間の移送部）における接地のみを行えばよい。このため、アース線の取り回し等も不要である。
【００６４】
なお、本発明では、遊技球揚送装置１５（または補給樋７と遊技球揚送装置１５との間の移送部）における接地は必須ではない。遊技球揚送装置１５等を接地しなくても、補給樋７や遊技球揚送装置１５に貯留されている遊技球３９の静電容量が、金属管１７の静電容量に比べて極めて大きいため、金属管１７に蓄積された静電気は、貯留されている遊技球３９全体によって薄められ、金属管１７にたまった静電気を極少にすることができる。
【００６５】
また、静電気除去具１９に係合部２７が形成されるため、補給シュート９に対して確実に取り付けることができる。したがって、予め補給シュート９に静電気除去具１９を取り付けた状態で、輸送することもできる。また、既設の補給シュート９への取り付けも容易である。
【００６６】
また、静電気除去具１９を用いることで、遊技球３９が流れていて、互いに非接触となる場合でも、静電気を除去することができる。このように、本発明は、大当たりなどの際に、補給シュート９内を転動する遊技球３９同士が、接触しない状態となっても、流入部近傍における整列前（球均し部前）の移送部２９では、遊技球３０同士が重なり合うように貯留していることを利用したものである。
【００６７】
また、本発明によれば、静電気の発生場所を特定することも可能である。例えば、店舗オープン後に特に静電気が発生していると思われる部位に、静電気除去具１９を取り付けて、その効果を検証することで、静電気の発生場所を特定することができる。これにより、新規工事の静電気対策として、予め有効な手段を講じることができる。
【００６８】
なお、上述した説明では、静電気除去具１９を補給シュート９に取り付ける例を示したが、遊技媒体が流れ、帯電の恐れがある部位であれば、本発明の実施形態の静電気除去具１９を、補給樋以外の搬送樋に固定される補給シュートに適用することもできる。例えば、遊技媒体としては、遊技球ではなく遊技コインであってもよい。
【００６９】
また、静電気除去具の形状は、図示した例には限られない。取り付けられる補給シュート９等の形状や、使用状態に応じて適宜変更することができる。
【００７０】
例えば、図８（ａ）に示す静電気除去具１９ａを用いることもできる。静電気除去具１９ａは、静電気除去具１９と略同様の構成であるが、遊技媒体接触面２１の向きが異なる。すなわち、静電気除去具１９ａでは、遊技媒体接触面２１とアーム部２５とが、同一面上に形成される。
【００７１】
静電気除去具１９ａは、静電気除去具１９と同様にして使用することができる。この場合、遊技媒体接触面２１は、移送部２９の底面ではなく、内側面に配置される。したがって、移送部２９の遊技球３９とは、側方から接触する。
【００７２】
静電気除去具１９ａを用いても、静電気除去具１９と同様の効果を得ることができる。また、移送部２９の底面に段差が形成されることがないため、遊技球の流れがよりスムーズになる。
【００７３】
また、図８（ｂ）に示す静電気除去具１９ｂを用いることもできる。静電気除去具１９ｂは、静電気除去具１９と略同様の構成であるが、遊技媒体接触面２１が形成されず、搬送樋接触部４１が形成される点が異なる。
【００７４】
静電気除去具１９ｂでは、アーム部２５が略垂直な方向に折り曲げられて、先端が搬送樋接触部４１となる。搬送樋接触部４１は、例えば板ばね状に折り曲げられており、弾性変形可能である。
【００７５】
静電気除去具１９ｂを補給シュート９に取り付けると、金属管導通部２３が金属管１７と導通する。また、搬送樋接触部４１は、補給シュートが取り付けられる搬送樋である補給樋７の金属部分と接触する。通常、補給樋７は、本体が金属製であり、遊技球３９が流れる部位には、樹脂板やゴム板が敷かれている。したがって、補給樋７の外側には、金属部分が露出している。このため、静電気除去具１９ｂを取り付けた補給シュート９を補給樋７に固定すると、搬送樋接触部４１が、補給樋７の外面（導体部）に押し付けられる。
【００７６】
このように、静電気除去具１９ｂを用いることで、金属管１７と補給樋７とを導通させることができる。したがって、補給樋７を介して、遊技球揚送装置１５（または補給樋７と遊技球揚送装置１５との間の移送部などの導体）と導通させることができる。
【００７７】
以上、添付図を参照しながら、本発明の実施の形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【符号の説明】
【００７８】
１………遊技機島
３………遊技機
５………上部タンク
７………補給樋
９………補給シュート
１１………爪部
１３………回収樋
１５………遊技球揚送装置
１７………金属管
１９、１９ａ、１９ｂ………静電気除去具
２１………遊技媒体接触面
２３………金属管導通部
２５………アーム部
２７………係合部
２８………流入部
２９………移送部
３１………金属管接続部
３３ａ………球均し部
３３ｂ………球崩し部
３４………孔
３５………突起
３７………孔
３９………遊技球
４１………搬送樋接触部
【図１】
2016041109.tif 000003
【図２】
2016041109.tif 000004
【図３】
2016041109.tif 000005
【図４】
2016041109.tif 000006
【図５】
2016041109.tif 000007
【図６】
2016041109.tif 000008
【図７】
2016041109.tif 000009
【図８】
2016041109.tif 000010